(57)【要約】【課題】様々な構造のリムを有する水洗大便器に使用可能な薬剤供給具を提供すること。【解決手段】薬剤容器配置具１２は、載置部１８と、前記載置部１８の両端に接続された第１の脚部２０と、第１の脚部２０よりも長さＬが大きい第２の脚部２２とを備える。第１の脚部２０と第２の脚部２２は、それらの下端に互いに反対の向きに突設され薬剤容器１４を係脱可能に保持する保持用脚部２４を有している。リム５２の上面に載置部１８を載置し、リム５２の形状に合わせてリム５２を跨いで２つの脚部２０，２２のうちの一方を周壁５０の内周面に他方を周壁５０の外周面に配置し、周壁５０の内周面に配置された脚部の保持用脚部２４で薬剤容器１４を保持させる。【選択図】図４
2020165194.tif 000002
【特許請求の範囲】
【請求項１】
薬剤を支持する薬剤容器と、弾性変形可能な細長状の部材からなり水洗大便器の便器本体を構成する周壁の上端のリムに取り付けられ前記周壁の内周面に前記薬剤容器を位置させる薬剤容器配置具とを有する薬剤供給具であって、
前記薬剤容器配置具は、前記周壁の上端のリムの上面に載置される載置部と、前記載置部の長手方向の一方の端部に接続された第１の脚部と、前記載置部の長手方向の他方の端部に接続され前記第１の脚部よりも長さが大きく前記第１の脚部に対向する第２の脚部とを備え、
前記第１の脚部と前記第２の脚部は、それら脚部の下端に互いに反対の向きでそれぞれ突設され前記薬剤容器を係脱可能に保持する保持用脚部を有し、
前記リムの上面に前記載置部を載置し、前記リムの形状に合わせて前記リムを跨いで前記二つの脚部のうちの一方を前記周壁の内周面に他方を前記周壁の外周面に配置し、前記周壁の内周面に配置された前記脚部の前記保持用脚部で前記薬剤容器を保持させた状態で、前記二つの脚部が前記リムを含む前記周壁を挟持することであるいは前記二つの脚部が前記リムを含む前記周壁を前記薬剤容器を介して挟持することで前記薬剤容器配置具が前記リムを含む前記周壁に取り付けられると共に前記周壁の内周面に対する前記薬剤容器の位置および姿勢が保持される、
ことを特徴とする薬剤供給具。
【請求項２】
前記リムは前記周壁の上端部を構成する外周壁部と、前記外周壁部の上端から周壁の内側に突出し前記リムの上面を構成する上壁部と、前記上壁部の先端から下方に突出する内周壁部を備え、
前記第１の脚部は、前記載置部の長手方向の一方の端部から、前記上壁部の厚さよりも大きい寸法で下方に延在する第１上脚部を有し、
前記第２の脚部は、前記載置部の長手方向の他方の端部から前記第１上脚部に対向しつつ下方に延在する第２上脚部を有する、
ことを特徴とする請求項１記載の薬剤供給具。
【請求項３】
前記第１の脚部は、前記第１上脚部の下端から前記第２上脚部に近づく方向に延在しその先端に前記保持用脚部が接続する第１下脚部を有し、
前記第２の脚部の前記第２上脚部の下端に前記保持用脚部が接続されている、
ことを特徴とする請求項２記載の薬剤供給具。
【請求項４】
前記第１下脚部の先端から前記第２上脚部に仮想の垂線を下すと、前記垂線は、前記第２上脚部の長さ方向の中央において交差する、
ことを特徴とする請求項３記載の薬剤供給具。
【請求項５】
前記載置部の長手方向の一方の端部と前記第１の脚部とは第１湾曲部を介して接続され、前記載置部の長手方向の他方の端部と前記第２の脚部とは第２湾曲部を介して接続されている、
ことを特徴とする請求項１〜４の何れか１項記載の薬剤供給具。
【請求項６】
前記薬剤容器は、前記薬剤を支持する容器本体と、前記容器本体の上部に設けられ前記保持用脚部が係脱可能に挿入される結合孔が設けられた取り付け部とを有し、
前記第１の脚部の前記保持用脚部は、前記第１下脚部の下端に接続され前記第２上脚部から離れる方向に延在し前記結合孔に係脱可能に挿入される第１保持用脚部本体と、前記第１保持用脚部本体に設けられ前記結合孔に前記第１保持用脚部本体が挿入された状態で前記取り付け部に係止し前記取り付け部の前記第１保持用脚部本体からの抜落を阻止する係止突起を含んで構成され、
前記第２の脚部の前記保持部は、前記第２上脚部の下端に接続され前記第１上脚部から離れる方向に延在し前記結合孔に係脱可能に挿入される第２保持用脚部本体と、前記第２保持用脚部本体に設けられ前記結合孔に前記第２保持用脚部本体が挿入された状態で前記取り付け部に係止し前記取り付け部の前記第２保持用脚部本体からの抜落を阻止する係止突起を含んで構成されている、
ことを特徴とする請求項３または４または請求項３を引用する請求項５記載の薬剤供給具。
【請求項７】
前記第１下脚部と前記第１保持用脚部本体とがなす角度は、好ましくは２０度以上９０度以下、より好ましくは３０度以上４５度以下であり、
前記第２上脚部と前記第２保持用脚部本体とがなす角度は、好ましくは８０度以上１８０度以下であり、より好ましくは９０度以上１２０度以下である、
ことを特徴とする請求項６記載の薬剤供給具。
【発明の詳細な説明】
【技術分野】
【０００１】
本発明は、水洗大便器の便器本体の内側で使用される薬剤供給具に関する。
【背景技術】
【０００２】
薬剤を支持する薬剤容器と、弾性変形可能な細長状の部材からなり水洗大便器の便器本体を構成する周壁の上端のリムに取り付けられ前記周壁の内周面に前記薬剤容器を位置させる薬剤容器配置具とを有する薬剤供給具が提供されている（特許文献１）。
【先行技術文献】
【特許文献】
【０００３】
【特許文献１】特開２０１６−１３８４０１号公報
【発明の概要】
【発明が解決しようとする課題】
【０００４】
ところで近年、水洗大便器の便器本体の周壁の上端のリムの構造が変化している。
図６を参照して説明すると、水洗大便器の便器本体はボウル部を構成する周壁５０を備えており、周壁５０はその上縁に沿って延在するリム５２を含んで構成されている。
リム５２は周壁５０の上端部を構成する外周壁部５２０２と、外周壁部５２０２の上端から周壁５０の径方向内側に突出する上壁部５２０４と、上壁部５２０４の先端から下方に突出する内周壁部５２０６を備えている。
リム５２は、上壁部５２０４の下方の周壁５０の内周面に沿って吐出される洗浄水の旋回流が、便器本体の外部に流出するのを阻止する機能を有し、また、便座が載置される被載置部としても機能している。
従来、図６（Ｃ）に示すように、リム５２の内周壁部５２０６が、リム５２の上壁部５２０４の内側から下方に突出し、リム５２の内周壁部５２０６と周壁５０とが離れたオープンリムが主流であった。
これに対して近年では、図６（Ａ）に示すように、周壁５０が外周壁部５０Ａと内周壁部５０Ｂとの二重の壁部で構成され、リム５２の外周壁部５２０２が周壁５０の外周壁部５０Ａに接続され、リム５２の内周壁部５２０６が周壁５０の内周壁部５０Ｂに接続され、リム５２の上壁部５２０４の幅を図６（Ｃ）のリム５２よりも狭めた便器本体や、図６（Ｂ）に示すように、リム５２の上壁部５２０４の幅は図（Ｃ）とほぼ同様にし、リム５２の内周壁部５２０６の下端をリム５２の外周壁部５２０２の下端に接続させたものなどが提供され、リム５２の構造が大きく変わっている。
【０００５】
そのため、従来の図６（Ｃ）のリム構造を対象とする従来の薬剤供給具では、近年の図６（Ａ）、図６（Ｂ）のリム構造に対応できず、取り付けることができない不具合が生じていた。
本発明は前記事情に鑑み案出されたものであり、本発明の目的は、様々な構造のリムを有する水洗大便器に使用可能な薬剤供給具を提供することにある。
【課題を解決するための手段】
【０００６】
上述の目的を達成するために、本発明は、薬剤を支持する薬剤容器と、弾性変形可能な細長状の部材からなり水洗大便器の便器本体を構成する周壁の上端のリムに取り付けられ前記周壁の内周面に前記薬剤容器を位置させる薬剤容器配置具とを有する薬剤供給具であって、前記薬剤容器配置具は、前記周壁の上端のリムの上面に載置される載置部と、前記載置部の長手方向の一方の端部に接続された第１の脚部と、前記載置部の長手方向の他方の端部に接続され前記第１の脚部よりも長さが大きく前記第１の脚部に対向する第２の脚部とを備え、前記第１の脚部と前記第２の脚部は、それら脚部の下端に互いに反対の向きでそれぞれ突設され前記薬剤容器を係脱可能に保持する保持用脚部を有し、前記リムの上面に前記載置部を載置し、前記リムの形状に合わせて前記リムを跨いで前記二つの脚部のうちの一方を前記周壁の内周面に他方を前記周壁の外周面に配置し、前記周壁の内周面に配置された前記脚部の前記保持用脚部で前記薬剤容器を保持させた状態で、前記二つの脚部が前記リムを含む前記周壁を挟持することであるいは前記二つの脚部が前記リムを含む前記周壁を前記薬剤容器を介して挟持することで前記薬剤容器配置具が前記リムを含む前記周壁に取り付けられると共に前記周壁の内周面に対する前記薬剤容器の位置および姿勢が保持されることを特徴とする。
また、本発明は、前記リムは前記周壁の上端部を構成する外周壁部と、前記外周壁部の上端から周壁の内側に突出し前記リムの上面を構成する上壁部と、前記上壁部の先端から下方に突出する内周壁部を備え、前記第１の脚部は、前記載置部の長手方向の一方の端部から、前記上壁部の厚さよりも大きい寸法でかつ前記内周壁部の上下方向の寸法よりも小さい寸法で下方に延在する第１上脚部を有し、前記第２の脚部は、前記載置部の長手方向の他方の端部から、前記内周壁部の上下方向の寸法と同じ寸法であるいは前記内周壁部の上下方向の寸法よりも大きい寸法で前記第１上脚部に対向しつつ下方に延在する第２上脚部を有することを特徴とする。
また、本発明は、前記第１の脚部は、前記第１上脚部の下端から前記第２上脚部に近づく方向に延在しその先端に前記保持用脚部が接続する第１下脚部を有し、前記第２の脚部の前記第２上脚部の下端に前記保持用脚部が接続されていることを特徴とする。
また、本発明は、前記第１下脚部の先端から前記第２上脚部に仮想の垂線を下すと、前記垂線は、前記第２上脚部の長さ方向の中央において交差することを特徴とする。
また、本発明は、前記載置部の長手方向の一方の端部と前記第１の脚部とは第１湾曲部を介して接続され、前記載置部の長手方向の他方の端部と前記第２の脚部とは第２湾曲部を介して接続されていることを特徴とする。
また、本発明は、前記薬剤容器は、前記薬剤を支持する容器本体と、前記容器本体の上部に設けられ前記保持用脚部が係脱可能に挿入される結合孔が設けられた取り付け部とを有し、前記第１の脚部の前記保持用脚部は、前記第１下脚部の下端に接続され前記第２上脚部から離れる方向に延在し前記結合孔に係脱可能に挿入される第１保持用脚部本体と、前記第１保持用脚部本体に設けられ前記結合孔に前記第１保持用脚部本体が挿入された状態で前記取り付け部に係止し前記取り付け部の前記第１保持用脚部本体からの抜落を阻止する係止突起を含んで構成され、前記第２の脚部の前記保持部は、前記第２上脚部の下端に接続され前記第１上脚部から離れる方向に延在し前記結合孔に係脱可能に挿入される第２保持用脚部本体と、前記第２保持用脚部本体に設けられ前記結合孔に前記第２保持用脚部本体が挿入された状態で前記取り付け部に係止し前記取り付け部の前記第２保持用脚部本体からの抜落を阻止する係止突起を含んで構成されていることを特徴とする。
また、本発明は、前記第１下脚部と前記第１保持用脚部本体とがなす角度は、好ましくは２０度以上９０度以下、より好ましくは３０度以上４５度以下であり、前記第２上脚部と前記第２保持用脚部本体とがなす角度は、好ましくは８０度以上１８０度以下であり、より好ましくは９０度以上１２０度以下であることを特徴とする。
【発明の効果】
【０００７】
本発明によれば、リムの形状に合わせてリムを跨いで二つの脚部のうちの一方を周壁の内周面に他方を周壁の外周面に配置することで、様々なリム形状を有する水洗大便器に使用することができ、薬剤供給具の汎用性、実用的価値を高める上で有利となる。
また、水洗大便器の周壁の外側に配置され薬剤容器が保持されていない保持用脚部を、薬剤供給具の取り外し時に摘まむことで、水洗大便器の内側に手を入れることなく衛生的に取り外すことができ、薬剤供給具の取り外し性を向上する上で有利となる。
また、第１の脚部と第２の脚部の長さは、様々なリムの形状に対応させて簡単に決定することができる。
また、第１の脚部を、第１上脚部と第１下脚部とを含んで構成し、第２の脚部を第２上脚部を含んで構成すると、リムを含んだ周壁の上部に薬剤配置具を確実に取り付ける上で有利となる。
また、第１の脚部を、第１上脚部と第１下脚部とを含んで構成すると、リムを含んだ周壁の上部に薬剤配置具を確実に取り付ける上で有利となる。
また、第１下脚部の先端から第２上脚部に仮想の垂線を下した場合に、この垂線が第２上脚部の長さ方向の中央において交差するようにすると、リムを含んだ周壁の上部に薬剤配置具を確実に取り付ける上で有利となる。
また、載置部の両端に第１湾曲部と第２湾曲部を設けると、リムを含んだ周壁の上部に対して薬剤配置具の装脱を簡単に行う上で有利となり、また、確実に取り付ける上で有利となる。
また、薬剤容器を保持する保持用脚部を、保持用脚部本体と係止突起を含んで簡単に構成することができる。
第１下脚部と第１保持用脚部本体とがなす角度および第２上脚部と第２保持用脚部本体とがなす角度を所定の範囲の角度にすると、水洗大便器の周壁の外側に配置され薬剤容器が保持されていない保持用脚部を摘まみやすくする上で有利となり、また、周壁の内周面に対する薬剤容器を所望の姿勢にする上で有利となる。
【図面の簡単な説明】
【０００８】
【図１】薬剤容器配置具の説明図で、（Ａ）は正面図、（Ｂ）は平面図、（Ｃ）は側面図、（Ｄ）は斜視図である。
【図２】薬剤容器の説明図で、（Ａ）は正面図、（Ｂ）は平面図、（Ｃ）は側面図、（Ｄ）は斜視図である。
【図３】薬剤供給具の説明図で、（Ａ）は第１の脚部に薬剤容器を取り付けた状態の正面図、（Ｂ）は第２の脚部に薬剤容器を取り付けた状態の正面図である。
【図４】（Ａ）、（Ｂ）は近年のリム構造を有する周壁に薬剤供給具を取り付けた状態の正面図、（Ｃ）は従来のリム構造を有する周壁に薬剤供給具を取り付けた状態の正面図である。
【図５】水流が薬剤容器により２分される説明図である。
【図６】リムの説明図で、（Ａ）、（Ｂ）は近年のリム構造の断面正面図、（Ｃ）は従来のリム構造の断面正面図である。
【発明を実施するための形態】
【０００９】
以下、本実施の形態について図１〜図５を参照して説明する。
図３に示すように、薬剤供給具１０は、薬剤容器配置具１２と薬剤容器１４とを含んで構成されている。
図１に示すように、薬剤容器配置具１２は、載置部１８と、第１の脚部２０と、第２の脚部２２とを備え、第１の脚部２０と第２の脚部２２はそれぞれ反対の向きに突出する保持用脚部２４とを備えている。
薬剤容器配置具１２は、弾性変形可能な細長状の部材が屈曲されることで構成されている。このような部材としてポリエチレンやポリプロピレンなどの合成樹脂材料やばね鋼板など形作られた際に弾性を有する従来公知の様々な材料が採用可能である。
本実施の形態では、薬剤容器配置具１２の断面は、厚さよりも幅が大きい扁平な細長状を呈し、詳細には長方形を呈している。
【００１０】
薬剤容器配置具１２は、水洗大便器の便器本体を構成する周壁５０のリム５２を含んだ箇所を挟持して周壁５０に取り付けられる観点から、薬剤容器配置具１２を構成する部材の厚さは、０．５ｍｍ以上６ｍｍ以下であると好ましく、１ｍｍ以上３ｍｍ以下であるとより好ましい。０．５ｍｍよりも薄くなると部材が折れるなど壊れてしまう恐れがあり、６ｍｍを超えると便座を下した時に便座とリム５２の上壁部５２０４との間に薬剤容器配置具１２の載置部１８が便座に当ってしまい便座が不安定になるという問題が生じる。
また、幅は、２ｍｍ以上６０ｍｍ以下であると好ましく、５ｍｍ以上３０ｍｍ以下であるとより好ましい。２ｍｍよりも細くなると部材が折れるなど壊れてしまう恐れがあり、６０ｍｍを超えると弾性変形が難しくなるという問題が生じる。
載置部１８は、リム５２の上壁部５２０４の上面に載置される箇所であり、ほぼ直線状に延在している。より詳細には、載置部１８は上方に凸の緩やかな湾曲状に延在しており、後述する第１湾曲部１８０２と第２湾曲部１８０４のリム５２からの浮き上がりを抑制している。
載置部１８の長さは、４ｃｍ以上８ｃｍ以下であると好ましく、５ｃｍ以上６ｃｍ以下であるとより好ましい。４ｃｍよりも短いとリム５２の幅よりも狭くなるため薬剤容器１４を便器内部の水流のあたる部分に設置することが困難になる恐れがあり、８ｃｍを超えると薬剤容器配置具１２が便器から突出してしまうという問題が生じる。
【００１１】
第１の脚部２０は、載置部１８の長手方向の一方の端部に第１湾曲部１８０２を介して接続され、保持用脚部２４は第１の脚部２０に第２の脚部２２から離れる方向に突出している。
詳細に説明すると、第１の脚部２０は、第１上脚部２００２と第１下脚部２００４と保持用脚部２４とを有している。第１上脚部２００２は、図４に示すように、上壁部５２０４の厚さよりも大きい寸法でかつ内周壁部５２０６の上下方向の寸法よりも小さい寸法で下方に延在している。
第１上脚部２００２の長さは、１ｃｍ以上４ｃｍ以下であると好ましく、１.５ｃｍ以上２.５ｃｍ以下であるとより好ましい。ここで第１上脚部２００２の長さとは、第１湾曲部１８０２の中心から後述する第３湾曲部２００６の中心までの長さである。本実施の形態では、第１上脚部２００２はほぼ直線状に延在する直線部を含んで構成されているが、第１上脚部２００２は、このような直線部を含まずにその両端が第１湾曲部１８０２と第３湾曲部２００６に連続する湾曲部や屈曲部などで構成してもよい。この場合には、第１上脚部２００２の長さは、湾曲部や屈曲部などで構成された第１上脚部２００２の上端が、直線部を含んで構成された第１上脚部２００２の第１湾曲部１８０２の中心に位置し、湾曲部や屈曲部などで構成された第１上脚部２００２の下端が、直線部を含んで構成された第１上脚部２００２の第３湾曲部１８０２の中心に位置する長さとなる。
載置部１８と第１上脚部２００２とがなす角度は、薬剤容器配置具１２をリム５２の上部に確実に取り付ける観点からすると、好ましくは８０度以上１４０度以下であり、より好ましくは９０度以上１２０度以下である。
第１下脚部２００４は、第１上脚部２００２の下端から第３湾曲部２００６を介して接続され、第２の脚部２２に近づく方向に延在している。なお、第３湾曲部２００６を屈曲部としてもよいが、第３湾曲部２００６により第１上脚部２００２と第１下脚部２００４とを接続すると、リム５２を含む周壁５０の上端への薬剤容器配置具１２の装脱が円滑になされる。
第１上脚部２００２と第１下脚部２００４とがなす角度は、薬剤容器配置具１２をリム５２の上部に確実に取り付ける観点からすると、好ましくは８０度以上１４０度以下であり、より好ましくは９０度以上１２０度以下である。
【００１２】
保持用脚部２４は、薬剤容器１４を保持する箇所であり、第１下脚部２００４の先端に第１屈曲部２００８を介して設けられている。
保持用脚部２４と第１下脚部２００４とがなす角度は鋭角をなしている。
保持用脚部２４は、第１保持用脚部本体２４０２と係止突起２４０４を含んで構成され、それらについては後述する。
保持用脚部２４と第１下脚部２００４と離す角度は、すなわち第１下脚部２００４と第１保持用脚部本体２４０２とがなす角度は、図４（Ｃ）に示すように、リム５２を含む周壁５０の上部に薬剤容器配置具１２が取り付けられた状態で、薬剤供給具１０の取り外し時に使用されていない保持用脚部２４を摘まみやすいように、また、図４（Ａ）、（Ｂ）に示すように、周壁５０の内周面に対して薬剤容器１４が所望の姿勢となるように、２０度以上９０度以下が好ましく、３０度以上４５度以下であるとより好ましい。
【００１３】
第２の脚部２２は、載置部１８の長手方向の他方の端部に第２湾曲部１８０４を介して接続され、保持用脚部２４は第２の脚部２２の下端に第１の脚部２０から離れる方向に突出している。
詳細に説明すると、第２の脚部２２は、第２上脚部２２０２と保持用脚部２４とを有している。
第２上脚部２２０２は、載置部１８の長手方向の他方の端部に第２湾曲部１８０４を介して接続され、図４に示すように、リム５２の内周壁部５２０６の上下方向の寸法と同じ寸法であるいは内周壁部５２０６の上下方向の寸法よりも大きい寸法で第１上脚部２００２に対向しつつ下方に延在している。
第２上脚部２２０２は、第１の脚部２０の第１上脚部２００２とほぼ平行した状態で対向している。
第２上脚部２２０２の長さは、４ｃｍ以上１０ｃｍ以下であると好ましく、６ｃｍ以上８ｃｍ以下であるとより好ましい。
なお、図１（Ａ）に示すように、第１下脚部２００４の先端から後述する第２上脚部２２０２に仮想の垂線Ｌを下すと、詳細には、第１屈曲部２００８の中心から第２上脚部２２０２に仮想の垂線Ｌを下すと、垂線Ｌは、第２上脚部２２０２の長さ方向の中央において交差しており、このような関係を持たせて第１の脚部２０と第２の脚部２２の長さを設定すると、種々のリム構造を有する便器本体のリム５２を含んだ周壁５０の上部に薬剤容器配置具１２を確実に取り付ける上で有利となる。
載置部１８と第２上脚部２２０２とがなす角度は好ましくは４０度以上１００度以下であり、より好ましくは６０度以上８０度以下である。
なお、載置部１８の長手方向の両端に屈曲部を介して第１の脚部２０と第２の脚部２２を接続してもよいが、本実施の形態のように、載置部１８の長手方向の両端に第１湾曲部１８０２と第２湾曲部１８０４を介して第１の脚部２０と第２の脚部２２を接続すると、リム５２を含む周壁５０の上端への薬剤容器配置具１２の装脱が円滑になされる。
【００１４】
保持用脚部２４は、薬剤容器１４を保持する箇所であり、第２上脚部２２０２の下端に第２屈曲部２２０４を介して設けられている。
保持用脚部２４と第２上脚部２２０２とがなす角度は鋭角をなしている。
保持用脚部２４の構造は前記と同様で、第２保持用脚部本体２４０２と係止突起２４０４を含んで構成されている。
第２上脚部２２０２と第２保持用脚部本体２４０２とがなす角度は、図４（Ａ）、（Ｂ）に示すように、リム５２を含む周壁５０の上部に薬剤容器配置具１２が取り付けられた状態で、薬剤供給具１０の取り外し時に使用されていない保持用脚部２４を摘まみやすいように、また、図４（Ｃ）に示すように、周壁５０の内周面に対して薬剤容器１４が所望の姿勢となるように、８０度以上１８０度以下が好ましく、９０度以上１２０度以下であるとより好ましい。
【００１５】
図２に示すように、薬剤容器１４は、薬剤を収容し支持するものである。
薬剤は、洗浄用、汚れ付着防止用、臭気消臭用、芳香用のものが使用され、水との接触により表面から少しずつ溶解するものである。
薬剤容器１４には、合成樹脂や金属など従来公知の様々な材料が採用可能である。
薬剤容器１４は、薬剤を収容し支持する収容部３０Ａを有する容器本体３０と、取り付け部３２とを備え、それらは一体に設けられている。
【００１６】
容器本体３０は、高さＨと、高さＨよりも大きい寸法の幅Ｗと、幅Ｗよりも大きい寸法の長さＬとを有し、薄い肉厚で均一の厚さの壁部で形成され、容器本体３０を幅Ｗ方向から見ると流線形を呈している。
図４に示すように、容器本体３０は、高さＨ方向をほぼ上下方向に向けて、また、後述する開口部３０Ｂが設けられた幅Ｗ方向の端部を周壁５０の内周面に向けて、長さＬ方向をほぼ水平方向に向けて使用される。
容器本体３０が高さＨ方向をほぼ上下方向に向けて、また、幅Ｗ方向と長さＬ方向をほぼ水平方向に向けた状態で、容器本体３０は上半部に位置する上面部３００２と、下半部に位置する下面部３００４とを有している。
それら上面部３００２と下面部３００４とは、幅Ｗ方向に直交し高さＨ方向の中心を通る仮想面に対して面対称な形状で形成されている。
【００１７】
容器本体３０の幅Ｗ方向の一方の端部および長さＬ方向の両端は、上面部３００２の先端と下面部３００４の先端とが接合されることで収容部３０Ａが閉塞されている。
なお、図２（Ｃ）、図５において符号３００６は、上面部３００２の先端と下面部３００４との先端が接合されて形成された稜線を示している。
周壁５０の内周面に向けられる容器本体３０の幅Ｗ方向の他方の端部は、幅Ｗ方向に直交し長さＬ方向と平行する一つの仮想面上に位置すると共に、長さＬ方向および高さＨ方向の全長にわたって収容部３０Ａが開放された開口部３０Ｂを有している。
また、容器本体３０の内部を複数に分割する仕切り壁３００８が設けられている。
本実施の形態では、容器本体３０の長さＬ方向の中央に、幅Ｗ方向および高さＨ方向の全長にわたって収容部３０Ａ内を延在し収容部３０Ａを２分する仕切り壁３００８が設けられている。したがって、薬剤も仕切り壁３００８により２分された収容部３０Ａに収容され、使用時に、水流により徐々に薬剤が溶解するように図られている。
なお、仕切り壁３００８の個数や延在方向は任意であり、要するに、使用時に、水流により徐々に薬剤が溶解するように設けられれば良い。
【００１８】
図２（Ｂ）に示すように容器本体３０の幅Ｗと、図２（Ａ）に示すように幅Ｗ方向から見た容器本体３０の高さＨは、すなわち上面部３００２と下面部３００４の幅と、幅方向から見た高さは、長さＬ方向の中央（中心）が最も大きく、中央から離れるにつれて次第に小さくなる寸法で形成されている。
より詳細には、容器本体３０の幅Ｗと、幅Ｗ方向から見た高さＨは、すなわち上面部３００２と下面部３００４の幅と、幅方向から見た高さは、長さＬ方向の中央（中心）から長さＬのほぼ１／３程度までは、中央から離れるにつれて次第に小さくなる寸法で形成され、長さＬ方向の中央（中心）から長さＬのほぼ１／３程度よりも離れると、離れるにつれて急激に小さくなる寸法で形成されている。
【００１９】
また、図２（Ｃ）に示すように容器本体３０の長さＬ方向から見た高さＨは、すなわち、容器本体３０の長さＬ方向から見た上面部３００２と下面部３００４の高さは、開口部３０Ｂが設けられた幅Ｗ方向の端部が最も大きく、この幅Ｗ方向の端部から離れるにつれて小さくなる寸法で形成されている。
より詳細には、容器本体３０の長さＬ方向から見た高さＨは、すなわち、容器本体３０の長さＬ方向から見た上面部３００２と下面部３００４の高さは、開口部３０Ｂが設けられた幅Ｗ方向の端部から幅Ｗ方向の中央までは、開口部３０Ｂが設けられた幅Ｗ方向の端部から離れるにつれて次第に小さくなる寸法で形成され、中央から離れると、離れるにつれて急激に小さくなる寸法で形成されている。
【００２０】
取り付け部３２は、上面部３００２の長さＬ方向の中央で、幅Ｗ方向の中間部に設けられ、詳細には幅Ｗ方向の中心よりも開口部３０Ｂ側に変位した箇所に設けられ、結合孔３２０２を有している。
取り付け部３２は、矩形板状に上面部３００２から膨出形成され、平面視した場合、図２（Ｂ）に示すように、容器本体３０の長さＬ方向に細長の長方形状を呈している。
結合孔３２０２は保持用脚部２４の第１、第２保持用脚部本体２４０２が係脱可能に挿入される箇所で、容器本体３０の幅Ｗ方向に貫通して設けられている。
結合孔３２０２の断面は、保持用脚部本体２４０２の断面形状に対応した偏平な矩形で形成されている。
上面部３００２に対する取り付け部３２の位置は、結合孔３２０２に、係止突起２４０４を含む第１、第２保持用脚部本体２４０２が挿入され、係止突起２４０４が開口部３０Ｂ側の取り付け部３２の端部に当接した状態で、開口部３０Ｂとは反対側の取り付け部３２の端部が第１屈曲部２００８の近傍または第２屈曲部２２０４の近傍に当接し、第１、第２保持用脚部本体２４０２の長さＬ方向における容器本体３０の位置決めがなされる。
【００２１】
なお、このように容器本体３０が位置決めされた状態で、結合孔３２０２の断面形状および第１、第２保持用脚部本体２４０２の断面形状から、第１、第２保持用脚部本体２４０２の長さ方向の周りの容器本体３０の回転が阻止され、また、取り付け部３２を支点として容器本体３０の幅Ｗ方向の両端が変位する傾動が阻止され、言い換えると、保持用脚部２４と容器本体３０とが一体的に結合される。
なお、結合孔３２０２の天井面を、第１、第２保持用脚部本体２４０２が挿入される方向に沿って次第に結合孔３２０２の底面に近づくように傾斜させ、あるいは、係止突起２４０４の形状をくさび状にするなど任意である。また、取り付け部３２と保持用脚部２４とを係脱可能に結合する構造は、ねじやクリップを用いてもよく、実施の形態の構造に限定されず、従来公知の様々な係脱構造が適用可能である。
【００２２】
次に、本実施の形態の薬剤供給具１０の使用方法について説明する。
なお、周壁５０の内周面とは、リム５２の上壁部５２０４の下方の便器本体の周壁５０の内周面であり、図４（Ａ）の場合には、リム５２の内周壁部５２０６の内周面および周壁５０の内周壁部５０Ｂの内周面を含み、図４（Ｂ）の場合には、リム５２の内周壁部５２０６の内周面を含み、図４（Ｃ）の場合には、リム５２の外周壁部５２０２の内周面を含み、周壁５０の外周面とは、リム５２の上壁部５２０４の下方の便器本体の周壁５０の外周面であり、周壁５０の外周壁部５０Ｂの外周面およびリム５２の外周壁部５２０２の外周面を含む。
薬剤供給具１０は、リム５２の上面に載置部１８を載置し、リム５２の形状に合わせてリム５２を跨いで２つの脚部２０，２２のうちの一方を周壁５０の内周面に他方を周壁５０の外周面に配置して用いる。
図４（Ａ）に示すようにリム５２の上壁部５２０４の幅をせばめ、周壁５０が外周壁部５０Ａと内周壁部５０Ｂとの二重の壁部で構成され、リム５２の外周壁部５２０２が周壁５０の外周壁部５０Ａに接続され、リム５２の内周壁部５２０６が周壁５０の内周壁部５０Ｂに接続されている場合には、図３（Ａ）に示すように、第１の脚部２０の保持用脚部２４に薬剤容器１４を保持させる。すなわち薬剤容器１４の取り付け部３２の結合孔３２０２に第１保持用脚部本体２４０２を挿入し、取り付け部３２を係止突起２４０４と第１屈曲部２００８の近傍の箇所とで挟んで保持用脚部２４で薬剤容器１４を保持する。
そして、図４（Ａ）に示すように、リム５２の上壁部５２０４の上面に載置部１８を載置し、リム５２を跨いで第１の脚部２０を、周壁５０の内周面を構成するリム５２の内周壁部５２０６の内周面に、第２の脚部２２を、周壁５０の外周面を構成するリム５２の外周壁部５２０２の外周面に配置する。
【００２３】
これにより薬剤容器１４の容器本体３０は、その高さＨ方向がほぼ上下方向に向けられ、また、開口部３０Ｂが設けられた幅Ｗ方向の端部が内周壁部５２０６の内周面に向けられ、また、長さＬ方向がほぼ水平方向に向けた状態で配置され、容器本体３０の開口部３０Ｂが設けられた幅Ｗ方向の端部の上端はリム５２の内周壁部５２０６の内周面に当接する。
また、長さの異なる２つの脚部２０，２２がリム５２の上壁部５２０４の下方においてリム５２を含む周壁５０を薬剤容器１４を介して挟持することで、薬剤容器配置具１２はリム５２を含む周壁５０に安定した状態で取り付けられ、周壁５０の内周面に対する薬剤容器１４の位置、姿勢が安定した状態で保持される。
【００２４】
周壁５０の内周面（リム５２の内周壁部５２０６の内周面）に水吐出口から水が吐出されると、薬剤容器１４は長さＬ方向に細長の流線形を呈しているため、図５に示すように、水流は薬剤容器１４の箇所で跳ね上がることなく上面部３００２と下面部３００４により上下に２分されて流れるため、水流による便器洗浄効果を妨げることが軽減される。また薬剤容器１４に排泄物の跳ね返りなどが付着しにくい。
すなわち、薬剤容器１４は、水流に向けて凸状の球面や平面を有していないため、水流は薬剤容器１４の箇所で跳ね上がることなく上下に２分され上面部３００２と下面部３００４に沿って流れ、次いで周壁５０の内周面（リム５２の内周壁部５２０６の内周面）に沿って流れ、周壁５０の内周面を旋回する旋回流となり、周壁５０の内周面、ボウル部を洗浄する。
その際に、水流の一部が開口部３０Ｂから容器本体３０の薬剤に接触し、薬剤はその表面から少しずつ溶解し、水と共に旋回流となり、薬剤により周壁５０の内周面、ボウル部を効果的に洗浄する。
【００２５】
また、便器掃除などの際に薬剤供給具１０を一旦取り外す場合や、使用終了後に取り外す場合には、リム５２の外周壁部５２０２の外周面に配置された、すなわち周壁５０の外側に位置する第２の脚部２２の保持用脚部２４を摘まみ、第２の脚部２２の保持用脚部２４をリム５２の外周壁部５２０２の外周面に沿って上昇させることで、薬剤供給具１０をリム５２から取り外す。
したがって、便器本体の周壁５０の内側に手を入れることなく、薬剤容器１４を水洗大便器内に落下させることなく衛生的に薬剤供給具１０を取り外すことができる。
また、薬剤容器１４が取り付けられていない保持用脚部２４は、リム５２の外周壁部５２０２の外周面から突出しているので摘まみやすく、薬剤供給具１０を水洗大便器から簡単に取り外す上で有利となる。
また、便座をリム５２上に載置した際には、薬剤容器１４を含む薬剤供給具１０は便座で隠れるため、見栄えもよい。
また、長さの異なる２つの脚部２０，２２により薬剤容器配置具１２が安定した状態でリム５２を含む周壁５０に取り付けられ、薬剤容器１４の位置、姿勢が安定した状態で保持されるため、周壁５０の内周面に吐出される水流や、便座の上げ下ろしの際の衝撃などに対して薬剤供給具１０の周壁５０からの落下を阻止する上で有利となる。
【００２６】
また、図４（Ｂ）に示すようにリム５２の上壁部５２０４の幅を図４（Ａ）のリム５２よりも大きく従来の図４（Ｃ）とほぼ同様にし、リム５２の内周壁部５２０６の下端をリム５２の外壁部の下端に接続させた形状の近年のリム５２の場合には、図４（Ａ）のリム５２の場合と同様に、図３（Ａ）に示すように、第１の脚部２０の保持用脚部２４に薬剤容器１４を保持させる。
そして、図４（Ｂ）に示すように、リム５２の上面に載置部１８を載置し、リム５２を跨いで第１の脚部２０を、周壁５０の内周面を構成するリム５２の内周壁部５２０６の内周面に、第２の脚部２２を、周壁５０の外周面を構成するリム５２の外周壁部５２０２の外周面に配置する。
【００２７】
これにより薬剤容器１４の容器本体３０は、その高さＨ方向がほぼ上下方向に向けられ、また、開口部３０Ｂが設けられた幅Ｗ方向の端部が内周壁部５２０６の内周面に向けられ、また、長さＬ方向がほぼ水平方向に向けた状態で配置される。
また、２つの脚部２０，２２が前記リム５２を含む前記周壁５０を挟持することで、あるいは、２つの脚部２０，２２が前記リム５２を含む前記周壁５０を前記薬剤容器１４を介して挟持することで、薬剤容器配置具１２はリム５２を含む周壁５０に安定した状態で取り付けられ、周壁５０の内周面に対する薬剤容器１４の位置、姿勢が安定した状態で保持される。
【００２８】
リム５２の内周壁部５２０６の内周面に水吐出口から水が吐出されると、薬剤容器１４は長さＬ方向に細長の流線形を呈しているため、図５に示すように、水流は薬剤容器１４の箇所で跳ね上がることなく上面部３００２と下面部３００４により上下に２分され、周壁５０の内周面を旋回する旋回流となって周壁５０の内周面、ボウル部を洗浄する。
その際に、薬剤はその表面から少しずつ溶解し水と共に旋回流となり、薬剤によりリム５２の内周壁部５２０６の内周面を含む周壁５０の内周面、ボウル部を効果的に洗浄される。
【００２９】
また、薬剤供給具１０の交換時などに薬剤供給具１０をリム５２から取り外す場合には、図４（Ａ）のリム５２の場合と同様に、リム５２の外周壁部５２０２の外周面に配置された第２の脚部２２の保持用脚部２４を摘まみ、第２の脚部２２の保持用脚部２４をリム５２の外周壁部５２０２の外周面に沿って上昇させることで、薬剤供給具１０をリム５２から取り外し、したがって、便器本体の周壁５０の内側に手を入れることなく、衛生的に薬剤供給具１０を水洗大便器から取り外すことができる。
また、保持用脚部２４は、リム５２の外周壁部５２０２の外周面から突出しているので摘まみやすく、薬剤供給具１０を水洗大便器から簡単に取り外す上で有利となる。
また、便座をリム５２上に載置した際には、薬剤容器１４を含む薬剤供給具１０は便座で隠れるため見栄えもよく、周壁５０の内周面に吐出される水流や、便座の上げ下ろしの際の衝撃などに対して薬剤供給具１０の周壁５０からの落下を阻止する上で有利となる。
また、載置部１８の両端に第１湾曲部１８０２と第２湾曲部１８０４とを設けたので、幅の大きいリム５２に対して装着し易くなり、薬剤供給具１０の装着操作性を高める上で有利となる。
【００３０】
また、図４（Ｃ）に示すように、リム５２の上壁部５２０４の幅が図（Ａ）のリム５２よりも大きく、リム５２の内周壁部５２０６の下方への突出長さが図（Ａ）のリム５２よりも小さい従来のオープンリムの場合には、図３（Ｂ）に示すように、第２の脚部２２の保持用脚部２４に薬剤容器１４を保持させる。すなわち薬剤容器１４の取り付け部３２の結合孔３２０２に第２保持用脚部本体２４０２を挿入し、取り付け部３２を係止突起２４０４と第２屈曲部２２０４の近傍の箇所とにより挟むことで保持用脚部２４で薬剤容器１４を保持する。
そして、図４（Ｃ）に示すように、リム５２の上面に載置部１８を載置し、リム５２を跨いで第２の脚部２２を周壁５０の内周面に、第２の脚部２２を、周壁５０の外周面を構成するリム５２の外周壁部５２０２の外周面に配置する。
これにより薬剤容器１４の容器本体３０は、その高さＨ方向がほぼ上下方向に向けられ、また、開口部３０Ｂが設けられた幅Ｗ方向の端部が内周壁５０の内周面に向けられ、また、長さＬ方向がほぼ水平方向に向けた状態で配置される。
また、２つの脚部２０，２２がリム５２を含む周壁５０を挟持することで、薬剤容器配置具１２はリム５２を含む周壁５０に安定した状態で取り付けられ、周壁５０の内周面に対する薬剤容器１４の位置、姿勢が安定した状態で保持される。
【００３１】
リム５２の外周壁部５２０２の内周面に水吐出口から水が吐出されると、薬剤容器１４は長さＬ方向に細長の流線形を呈しているため、図５に示すように、水流は薬剤容器１４の箇所で跳ね上がることなく上面部３００２と下面部３００４により上下に２分され、周壁５０の内周面を旋回する旋回流となって周壁５０の内周面、ボウル部を洗浄する。
その際に、薬剤はその表面から少しずつ溶解し水と共に旋回流となり、薬剤によりリム５２の外周壁部５２０２の内周面を含む周壁５０の内周面、ボウル部を効果的に洗浄される。
【００３２】
また、薬剤供給具１０の交換時などに薬剤供給具１０をリム５２から取り外す場合には、リム５２の外周壁部５２０２の外周面に配置された第１の脚部２０の保持用脚部２４を摘まみ、第１の脚部２０の保持用脚部２４をリム５２の外周壁部５２０２の外周面に沿って上昇させることで、薬剤供給具１０をリム５２から取り外し、したがって、便器本体の周壁５０の内側に手を入れることなく、衛生的に薬剤供給具１０を水洗大便器から取り外すことができる。
また、保持用脚部２４は、リム５２の外周壁部５２０２の外周面から突出しているので摘まみやすく、薬剤供給具１０を水洗大便器から簡単に取り外す上で有利となる。
また、便座をリム５２上に載置した際には、薬剤容器１４を含む薬剤供給具１０は便座で隠れるため、見栄えもよく、周壁５０の内周面に吐出される水流や、便座の上げ下ろしの際の衝撃などに対し薬剤供給具１０の周壁５０からの落下を阻止する上で有利となる。
また、載置部１８の両端に第１湾曲部１８０２と第２湾曲部１８０４とを設けたので、幅の大きいリム５２に対して装着し易くなり、薬剤供給具１０の装着操作性を高める上で有利となる。
【００３３】
したがって、本実施の形態の薬剤容器配置具１２を備える薬剤供給具１０によれば、様々なリム５２形状を有する水洗大便器に装着して使用することができ、薬剤供給具１０の汎用性、実用的価値を高める上で有利となる。
また、第１の脚部２０と第２の脚部２２とは共に薬剤容器１４を保持する保持用脚部２４を備えているので、薬剤容器１４が保持されていない保持用脚部２４を、薬剤供給具１０の取り外し時に摘まむことで、水洗大便器の内側に手を入れることなく衛生的に取り外すことができ、薬剤供給具１０の取り外し性を向上する上で有利となる。
【００３４】
なお、本実施の形態の薬剤容器配置具１２で保持される薬剤容器１４は、図２に示す実施の形態の構造のものに限定されず、従来公知の様々な構造のものでよいが、本実施の形態の薬剤容器１４を用いると、水の跳ね上がりを防止し、便器本体を効果的に洗浄する上で有利となる。
また、本実施の形態の薬剤容器１４を、水洗大便器の周壁５０の内周面に配置させる薬剤容器配置具１２は、図１に示す実施の形態の構造のものに限定されず、従来公知の様々な構造のものでよいが、本実施の形態の薬剤容器配置具１２を用いると、様々なリム５２形状を有する水洗大便器に広く使用できる上で有利となる。
【符号の説明】
【００３５】
１０  薬剤供給具
１２  薬剤容器配置具
１４  薬剤容器
１８  載置部
１８０２  第１湾曲部
１８０４  第２湾曲部
２０  第１の脚部
２００２  第１上脚部
２００４  第１下脚部
２００６  第３湾曲部
２００８  第１屈曲部
２２  第２の脚部
２２０２  第２上脚部
２２０４  第２屈曲部
２４  保持用脚部
２４０２  保持用脚部本体
２４０４  係止突起
３０  容器本体
３０Ａ  収容部
３０Ｂ  開口部
３００２  上面部
３００４  下面部
３２  取り付け部
３２０２  結合孔
５０  周壁
５２  リム
５２０２  外周壁部
５２０４  上壁部
５２０６  内周壁部
【図１】
2020165194.tif 000003
【図２】
2020165194.tif 000004
【図３】
2020165194.tif 000005
【図４】
2020165194.tif 000006
【図５】
2020165194.tif 000007
【図６】
2020165194.tif 000008